(57)【要約】      （修正有）【課題】設置や撤去が容易な工事現場等での歩行用組立式ゴムマット。【解決手段】連結盤は円板１内で同一レベルの上面をなし厚さが円板１の１／３の円板部２と、残余を円環部３とするものからなり、円板１は中心を通る直径面で６等分されている各円弧区分４を左右均等な角度（α度）で縮小して得る新規な円弧区分５にあたる円環部３に対し厚さ１／３の中間部位を空洞部７に形成し、円板部２の中心と、円弧区分５の中心線上円環部３寄りに円環部３の下面レベルに達する円柱突起を各垂下させ、両円柱突起間にに円孔９を設けてある。組込む展開盤は原型が円板１と同じ厚さの正三角形とし、各頂角部が円弧区分５と合致する形状をしており、頂各部を除く正三角形の各辺は円弧区分４の両辺の延長と一致させてあり、各頂角部先端は円柱突起８の円柱面に当接する湾曲形状にしてあり、頂角部には円柱突起と嵌合する円孔を設け、該正三角形の頂角部以外の上面に滑止溝１１を設けてある。【選択図】図３
0003119431.tif 000002
【実用新案登録請求の範囲】
【請求項１】
歩行用の組立式ゴムマットであって、円板状の連結盤（Ａ）と正三角形状の展開盤（Ｂ）とからなり、（イ）連結盤（Ａ）は、所定形状の円板（１）について、円板（１）と同一レベルの上面をなし厚さが円板（１）の３分の１で所定外径の円板部（２）と、円板（１）の円板部（２）以外を円環部（３）とするものとからなり、円板（１）は中心を通る垂直面で６等分されている各円弧区分（４）を左右均等な角度（α度）で縮小されて新規な円弧区分（５）が形成されるとともに挟角が２α度の第３の円弧区分（６）が形成されているものに対し、円弧区分（５）にあたる円環部（３）に対し厚さ３分の１の中間部位に、空洞部（７）を形成しており、円板部（２）の中心と、円弧区分（５）の中心線上の円環部（３）寄りにそれぞれ円環部（３）の下面のレベルに達する円柱突起（８）が垂下していて、これら両方の円柱突起（８）の中間に所定内径の円孔（９）が設けられており、（ロ）以上の連結盤（Ａ）に組込まれる展開盤（Ｂ）は、原型を円板（１）と同じ厚さで適宜大きさの正三角形とし、各頂角部（１０）が円弧区分（５）と合致する形状をしており、頂角部（１０）を除く正三角形の各辺が円弧区分（４）の両辺の延長と一致するようにしてあり、各頂角部（１０）の先端は円柱突起（８）の円柱面に当接するよう湾曲しており、頂角部（１０）の中心線上に円柱突起（８）と嵌合する円孔（１２）が設けられており、該正三角形の頂角部（１０）以外の上面に滑止用の溝（１１）が適宜設けられていることを特徴とする歩行用の組立式ゴムマット。
【請求項２】
展開盤（Ｂ）の頂角部（１０）の上面の中心線上、円環部（３）と嵌合用円柱突起（８）の中間に、垂直断面が直角二等辺三角形をなす横長の展開盤（Ｂ）脱出防止用の小突起片があり、連結盤（Ａ）の円板部（２）の下面にそれを係止する凹陥溝を有している請求項１記載の歩行用の組立式ゴムマット。
【考案の詳細な説明】
【技術分野】
【０００１】  本考案は建設工事現場等における歩行用の組立式ゴムマットに関するもので、屋外イベント等での不整地の路面に敷いてもよく、また学校のプールサイドに敷いて転倒防止に用いることもできるものである。
【背景技術】
【０００２】  従来、建設工事現場等における安全確保のため、一般の歩行者通路用にしばしば帯状の合成樹脂製シートやゴム製のマットが敷設されているが、足場の悪い板面等との固定を行わなければならず、それらの作業が容易でなく、労力的に煩雑で、また収納にも嵩張り、取り扱いが容易でなく、設置や撤去、保守点検等において改善が望まれている。【０００３】  一方、特許情報として、特許文献１には着氷防止効果を有する液状添加剤含有のゴムマットがあり、ゴムマットの表面に液状添加剤が滲出して膜を形成し着氷の防止と剥離をするという。また、特許文献２には歩行者用床面構造として弾性係数の異なる２層の箇所を設けておき、視覚障害者に足裏の感触でその位置を案内するというものがある。また、特許文献３には防滑ゴムマットの提案があり、表面に排水溝と弾性突起とを有し、弾性突起の弾性変形により氷結層を破壊して防滑効果を得るという。特許文献４にはゴム組成物とポリウレタン樹脂を一体にしたゴムマットがあって、路面を覆って使用するものであるという。特許文献５には道路の埋め戻した後に敷設される仮復旧用のマット状転圧体が示されており、ゴムマットの形状や組み合わせに関するものは見当たらない。
【特許文献１】特開２００３−３２８３０８
【特許文献２】特開２００３−２８６７０９
【特許文献３】特開２００１−３４２６０４
【特許文献４】特開２０００−４３０６９
【特許文献５】特開平１０−３７１１３
【考案の開示】
【考案が解決しようとする課題】
【０００４】  本考案は設置や撤去作業が容易な、道路工事現場等における歩行用の組立式ゴムマットを提供せんとするものである。
【課題を解決するための手段】
【０００５】  本考案は歩行用の組立式ゴムマットであって、円板状の連結盤（Ａ）と正三角形状の展開盤（Ｂ）とからなる。【０００６】  連結盤Ａは、所定形状の円板１について、円板１と同一レベルの上面をなし厚さが円板１の３分の１で所定外径の円板部２と、円板１の円板部（２）以外を円環部３とするものとからなり、円板１は中心を通る垂直面で６等分されている各円弧区分４を左右均等な角度（α度）で縮小されて新規な円弧区分５が形成されるとともに挟角が２α度の第３の円弧区分６が形成されているものに対し、円弧区分５にあたる円環部３に対し厚さ３分の１の中間部位に、空洞部７を形成しており、円板部２の中心と、円弧区分５の中心線上の円環部３寄りにそれぞれ円環部３の下面のレベルに達する円柱突起８が垂下していて、これら両方の円柱突起８の中間に所定内径の円孔９が設けられていている。【０００７】  また、以上の連結盤Ａに組込まれる展開盤Ｂは、原型が円板１と同じ厚さで適宜大きさの正三角形とし、各頂角部１０が円弧区分５と合致する形状をしており、頂各部１０を除く正三角形の各辺が円弧区分４の両辺の延長と一致するようにしてあり、各頂角部１０の先端は円柱突起８の円柱面に当接するように湾曲しており、また、頂角部１０の中心線上に円柱突起８と嵌合する円孔１２が設けられており、ここにおける円柱突起８はその先端付近のみテーパを付して円孔１２を嵌合しやすくしてあるが、図面での記載は省略してある。なお、該正三角形の頂角部１０以外の上面に滑止用の溝１１を適宜設けてある。【０００８】  さらに、連結盤Ａに対する展開盤Ｂの固定を強固にするため、展開盤Ｂの頂角部１０の上面の中心線上、円環部３と嵌合用円柱突起８の中間に、垂直断面が直角二等辺三角形をなす横長の展開盤Ｂ脱出防止用の小突起片があり、連結盤Ａの円板部２下面にそれを係止する凹陥溝を設けておくと好適である。【０００９】  そして、連結盤Ａに対する展開盤Ｂの嵌入による組立で、１個の連結盤Ａに６個の展開盤Ｂを挿入し、連結盤Ａの嵌合用円柱突起８に展開盤Ｂの円孔１２を嵌合し、必要に応じて、連結盤Ａの円板部２下面にある凹陥溝に、展開盤Ｂに設けてある展開盤Ｂ脱出防止用の小突起片を嵌入しておくとよい。連結盤Ａに対する展開盤Ｂの嵌入による組立が済んだならば、組立式ゴムマットの使用ができる。【００１０】  なお、本考案の組立式ゴムマットを撤去収納する場合は、使用状態のゴムマットの連結盤Ａの円孔９に手の指を差し込んで連結盤Ａから展開盤Ｂを外すようにし、ときには展開盤Ｂを少し押し下げて引き、展開盤Ｂ脱出防止用の小突起片を連結盤Ａの凹陥溝から外すことも必要になる場合がある。組立式ゴムマットの解体が済んだならば、円板状の連結盤Ａと正三角形状の展開盤Ｂをそれぞれ重ねて収納し、容易に運搬することができる。
【考案の効果】
【００１１】  本考案の建設工事現場等における歩行者通路に使用する歩行用の組立式ゴムマットは設置や撤去作業が容易で、設置時の安定性がよく、収納時に嵩張らないので、広く用いられることが予測される。
【考案を実施するための最良の形態】
【００１２】  組立では連結盤Ａ１個に展開盤Ｂを６個連結することができ、図３に示すごとく、二次元にわたり歩行面を任意の所定幅に構成することができる。具体例を以下の実施例で説明する。
【実施例１】
【００１３】  本考案の組立式ゴムマットは硬質ゴムを使用し、連結盤Ａおよび展開盤Ｂを金型成形により容易に量産することができる。実施例として、連結盤Ａの円板１や円環部３の外径が２００ｍｍ、円板１や円環部３の円弧区分６にあたる箇所の厚さ１５ｍｍ（以下、ｍｍの表示を省略する）で、円弧区分５にあたる円環部３の入口幅は８０、出口幅は４８である。円板１の厚さが残る円環部３における円弧区分６の円弧の外縁は２０で、内縁は１２である。また円柱突起８の外径は１５で円孔９の内径は１５にしてある。なお、１個の連結盤Ａ内の中心に円柱突起８は１個あるが、円孔９と他の嵌合用円柱突起８は各６個存在する。【００１４】  展開盤Ｂは、一辺を６００の正三角形にし、頂角部１０の厚さが５で、頂角部１０を除く展開盤Ｂの厚さが１５、頂角部１０の斜辺の長さを９３にしてある。頂角部１０を除く展開盤Ｂの上面には図示するごとく滑止用の溝１１を設けて、歩行時の滑止効果をほどこしてある。また、頂角部１０上面の円環部３相当箇所と円孔９との中間位置に断面が直角二等辺三角形の横長の展開盤Ｂ脱出防止用の小突起片を追加したものもあり、その場合、連結盤Ａの円板部２下面のそれを係止すべき箇所に凹陥溝を設けてあるが、いずれも図示を省略してある。
【産業上の利用可能性】
【００１５】  本考案の組立式ゴムマットは使用効果が充分あるばかいでなく、設置ならびに撤去が容易で、収納にも嵩張らず、運搬が容易なので、建設工事現場等の歩行通路として大いに貢献するものと思われる。
【図面の簡単な説明】
【００１６】
【図１】（ａ）連結盤Ａの説明用底面図［縮尺１／２］  （ｂ）連結盤Ａの空洞部を示す説明用正面図［縮尺１／２］  （ｅ）連結盤Ａの空洞部に挿入される展開盤Ｂの頂角部付近の断面図［縮尺１／２］
【図２】（ｃ）展開盤Ｂの説明用平面図［縮尺１／５］  （ｄ）展開盤Ｂの頂角部付近の拡大平面図［縮尺１／１］
【図３】本考案の組立式ゴムマットの使用状態を示す概略図
【符号の説明】
【００１７】  Ａ  連結盤
１  円板
２  円板部
３  円環部
４  円弧区分
５  円弧区分
６  円弧区分
７  空洞部
８  円柱突起
９  円孔
Ｂ  展開盤
１０  頂角部
１１  滑止用の溝
１２  円孔
【図１】
0003119431.tif 000003
【図２】
0003119431.tif 000004
【図３】
0003119431.tif 000005